(57)【特許請求の範囲】
【請求項１】
複数の乗り籠１…と、外周側に該乗り籠１を吊持軸２ｂにて回転自在に保持する環状枠体２と、該環状枠体２の中心軸２ａを回転自在に支持する支持枠体３と、を備え、上記支持枠体３の曲送信用配線Ｂ3 と、上記環状枠体２の曲送信用配線Ｂ2 とを、上記中心軸２ａ近傍で上記支持枠体３に取り付けられた複数のブラシ８と上記中心軸２ａに取り付けられた複数のスリップリング７との相互の滑り接触によって、電気的に接続し、かつ、上記環状枠体２の曲送信用配線Ｂ2 と、各上記乗り籠１の曲送信用配線Ｂ1 とを、各上記吊持軸２ｂに取り付けられた複数のスリップリング７と各該乗り籠１に取り付けられた複数のブラシ８との相互の滑り接触によって、電気的に接続して、外部から全ての上記乗り籠１へ、有線にて複数の曲を送り、各該乗り籠１内で、該複数の曲の中から選曲可能となるように構成されていることを特徴とする観覧車。
【請求項２】
環状枠体２と、該環状枠体２を支持する支持枠体３と、複数の乗り籠１…と、該乗り籠１を吊持軸にて回転可能に保持すると共に上記環状枠体２を走行する乗り籠支持枠４と、を備え、上記環状枠体２に沿ってループ状のトロリー線９を配設し、該トロリー線９に滑り接触して電気的に接続する集電子10を上記乗り籠支持枠４に配設し、かつ、該籠支持枠４の曲送信用配線Ｂ2 と、各上記乗り籠１の曲送信用配線Ｂ1 とを、各上記吊持軸に取り付けられた複数のスリップリング７と各該乗り籠１に取り付けられた複数のブラシ８との相互の滑り接触によって電気的に接続して、外部から全ての上記乗り籠１へ、有線にて複数の曲を送り、各該乗り籠１内で、該複数の曲の中から選曲可能となるように構成されていることを特徴とする観覧車。
【請求項３】
イヤホンにて選曲可能となるように構成されている請求項１又は２記載の観覧車。
【発明の詳細な説明】
【０００１】
【発明の属する技術分野】
本発明は、観覧車に関する。
【０００２】
【従来の技術】
従来の観覧車は、景色のみを楽しむことを目的としており、乗り籠内には、曲（音楽）を聞くための特殊な装置は設けられていなかった。その理由は、観覧車とは、相対的に回転（移動）する部位が存在するため、有線にて音楽を送ることが容易でなかったためである。
【０００３】
【発明が解決しようとする課題】
しかしながら、従来の観覧車では、乗り籠内で、数十分もの間、景色のみを楽しむだけであり、娯楽性は単純なものとなっていた。
【０００４】
そこで、本発明は、乗り籠内で、曲と景色とを同時に楽しむことができて、より高度な娯楽性のある観覧車を提供することを目的とする。
【０００５】
【課題を解決するための手段】
上述の目的を達成するために、本発明に係る観覧車は、複数の乗り籠と、外周側に該乗り籠を吊持軸にて回転自在に保持する環状枠体と、該環状枠体の中心軸を回転自在に支持する支持枠体と、を備え、上記支持枠体の曲送信用配線と、上記環状枠体の曲送信用配線とを、上記中心軸近傍で上記支持枠体に取り付けられた複数のブラシと上記中心軸に取り付けられた複数のスリップリングとの相互の滑り接触によって、電気的に接続し、かつ、上記環状枠体の曲送信用配線と、各上記乗り籠の曲送信用配線とを、各上記吊持軸に取り付けられた複数のスリップリングと各該乗り籠に取り付けられた複数のブラシとの相互の滑り接触によって、電気的に接続して、外部から全ての上記乗り籠へ、有線にて複数の曲を送り、各該乗り籠内で、該複数の曲の中から選曲可能となるように構成されているものである。
【０００６】
また、環状枠体と、該環状枠体を支持する支持枠体と、複数の乗り籠と、該乗り籠を吊持軸にて回転可能に保持すると共に上記環状枠体を走行する乗り籠支持枠と、を備え、上記環状枠体に沿ってループ状のトロリー線を配設し、該トロリー線に滑り接触して電気的に接続する集電子を上記乗り籠支持枠に配設し、かつ、該籠支持枠の曲送信用配線と、各上記乗り籠の曲送信用配線とを、各上記吊持軸に取り付けられた複数のスリップリングと各該乗り籠に取り付けられた複数のブラシとの相互の滑り接触によって電気的に接続して、外部から全ての上記乗り籠へ、有線にて複数の曲を送り、各該乗り籠内で、該複数の曲の中から選曲可能となるように構成されているものである。
【０００７】
また、イヤホンにて選曲可能となるように構成されている。
【０００８】
【発明の実施の形態】
以下、実施の形態を示す図面に基づき、本発明を詳説する。
【０００９】
図１に、本発明に係る観覧車の実施の一形態を示し、本観覧車は、複数の乗り籠１…と、外周側に乗り籠１を吊持軸２ｂにて回転自在に保持する環状枠体２と、環状枠体２の中心軸２ａを回転自在に支持する支持枠体３と、を備え、環状枠体２が矢印Ａ方向に回転するように構成されている。なお、中心軸２ａ及び吊持軸２ｂは、環状枠体２に一体状に固定されている。
【００１０】
図１と図２に示すように、曲を有線にて送信するための曲送信用配線Ｂが、支持枠体３及び環状枠体２及び乗り籠１の夫々に、配設されており、支持枠体３の曲送信用配線Ｂ3 と、環状枠体２の曲送信用配線Ｂ2 とを、中心軸２ａ近傍に配設された滑り接触手段Ｇにて、電気的に接続し、かつ、環状枠体２の曲送信用配線Ｂ2 と、乗り籠１の曲送信用配線Ｂ1 とを、吊持軸２ｂ近傍に配設された滑り接触手段Ｇにて、電気的に接続して、外部から乗り籠１へ、有線にて曲を送るように構成されている。なお、図１と図２において、１本の曲送信用配線Ｂは、複数曲が送信される複数本の曲送信用配線を総括して示している。
【００１１】
即ち、支持枠体３の曲送信用配線Ｂ3 は、外部と外部曲送信用配線Ｃで接続された運転室11と、中心軸２ａの滑り接触手段Ｇの上流側と、を接続する配線をいう。
【００１２】
環状枠体２の曲送信用配線Ｂ2 は、中心軸２ａの滑り接触手段Ｇの下流側に接続される中心軸分配器12にて分岐された所定数（本実施の形態では５本）の配線と、その分岐された各配線の下流側に接続される円周上分配器13にて分岐された所定数（本実施の形態では８本）の配線と、をいう。
【００１３】
なお、中心軸分配器12は、環状枠体２の中心軸２ａ近傍に１つ配設され、円周上分配器13は、環状枠体２の外周側に、等間隔に複数個（本実施の形態では５つ）配設されている。また、中心軸分配器12から分岐された曲送信用配線Ｂ2 …は、夫々、環状枠体２に放射状に配設されて円周上分配器13に接続されている。円周上分配器13から分岐された曲送信用配線Ｂ2 …は、夫々、吊持軸２ｂの滑り接触手段Ｇの上流側に接続されている。
【００１４】
乗り籠１の曲送信用配線Ｂ1 は、吊持軸２ｂの滑り接触手段Ｇの下流側と、スピーカー等を有する操作盤14と、を接続する配線をいう。
【００１５】
このように、各部位の曲送信用配線Ｂにて、矢印で示すように、外部から各乗り籠１へ有線にて（ＢＧＭ、ジャズ、クラシック、歌謡曲等の）曲を送ることができる。
【００１６】
中心軸２ａの滑り接触手段Ｇは、図３に示すように、中心軸２ａ近傍で支持枠体３に取り付けられた複数のブラシ８…と、中心軸２ａに取り付けられて複数のブラシ８…と滑り接触する複数の（環状の）スリップリング７…と、からなり、環状枠体２が支持枠体３に対して回転しても、支持枠体３の曲送信用配線Ｂ3 と、環状枠体２の曲送信用配線Ｂ2 とを、スリップリング７…及びブラシ８…にて、電気的に接続することができる。なお、図３において、判りやすくするために、複数本の曲送信用配線を１本の曲送信用配線Ｂにて示している。
【００１７】
言い換えると、送信側の曲送信用配線Ｂと、その送信側の曲送信用配線Ｂに対して相対的に可動する受信側の曲送信用配線Ｂとを、滑り接触手段Ｇにて、電気的に接続しているといえる。即ち、この場合、支持枠体３が送信側に相当し、環状枠体２が受信側に相当する。
【００１８】
図３と図４と図５に示すように、スリップリング７…は、中心軸２ａに固着されたリングホルダ16に保持され、ブラシ８…は、支持枠体３に固着されたブラシホルダ15に保持されている。なお、スリップリング７…及びブラシ８…の数量は、中心軸分配器12（図２参照）にて分岐される曲送信用配線Ｂ…の数量、及び、送信される曲の数量に応じて設定される。なお、図４において、１本の曲送信用配線Ｂは、１曲が送信される（最小単位の）配線を示している。
【００１９】
吊持軸２ｂの滑り接触手段Ｇは、図６に示すように、吊持軸２ｂ近傍で乗り籠１に取り付けられた複数のブラシ８…と、吊持軸２ｂに取り付けられて複数のブラシ８…と滑り接触する複数のスリップリング７…と、からなり、乗り籠１が環状枠体２に対して回転しても、環状枠体２の曲送信用配線Ｂ2 と、乗り籠１の曲送信用配線Ｂ1 とを、スリップリング７…及びブラシ８…にて、電気的に接続することができる。なお、図６において、判りやすくするために、複数本の曲送信用配線を１本の曲送信用配線Ｂにて示している。
【００２０】
言い換えると、送信側（環状枠体２）の曲送信用配線Ｂと、その送信側（環状枠体２）の曲送信用配線Ｂに対して相対的に可動する受信側（乗り籠１）の曲送信用配線Ｂとを、滑り接触手段Ｇにて、電気的に接続しているといえる。
【００２１】
図６と図７と図８に示すように、スリップリング７…は、吊持軸２ｂに固着されたリングホルダ16に保持され、ブラシ８…は、乗り籠１に固着されたブラシホルダ15に保持されている。なお、スリップリング７…及びブラシ８…の数量は、送信される曲の数量に応じて設定される。なお、図７において、１本の曲送信用配線Ｂは、１曲が送信される（最小単位の）配線を示している。
【００２２】
操作盤14は、図９に示すように、乗り籠１に送られた複数の曲の中から好みの曲を選曲するためのチャンネル部17と、曲の音量の増減を操作する音量部18と、複数の曲に対応した差込孔19ａ…を有するイヤホン差込部19と、を備えている。そして、イヤホン差込部19は、イヤホン（ヘッドホンも含む）をその差込孔19ａに差し込むことで、イヤホンにて好みの曲を選曲することができる。
【００２３】
次に、図10と図11に本発明の他の実施の形態を示し、（略縦長楕円形等の）環状枠体２と、環状枠体２を支持する支持枠体３と、複数の乗り籠１…と、乗り籠１を回転可能に保持すると共に環状枠体２を走行する乗り籠支持枠４と、を備えている。
【００２４】
環状枠体２に沿ってトロリー線９を配設し、トロリー線９に滑り接触して電気的に接続する集電子10を乗り籠支持枠４に配設し、外部から乗り籠１へ、有線にて曲を送るように構成されている。
【００２５】
言い換えると、送信側（環状枠体２）の曲送信用配線と、その送信側（環状枠体２）の曲送信用配線に対して相対的に可動する受信側（乗り籠支持枠４）の曲送信用配線とを、滑り接触手段Ｇ（トロリー線９及び集電子10）にて、電気的に接続しているといえる。
【００２６】
なお、乗り籠１の曲送信用配線と、乗り籠支持枠４の曲送信用配線とを、電気的に接続する滑り接触手段は、図６〜図８にて示した（吊持軸２ｂの）滑り接触手段Ｇと同様とする。また、トロリー線９及び集電子10の数量は、送信される曲の数量に応じて設定される。
【００２７】
なお、本発明は上述の実施の形態に限定されず、例えば、スリップリング７及びブラシ８を、雨やゴミ等から保護するためのカバーにて覆ってもよく、また、滑り接触手段Ｇの構成は、本発明の要旨を逸脱しない範囲で設計変更可能である。
【００２８】
【発明の効果】
本発明は上述の如く構成されるので、次に記載する効果を奏する。
【００２９】
（請求項１によれば、）簡単な構成にて、複数の乗り籠１…の、夫々に、有線にて曲（各種の音楽）を送ることができる。このように、乗り籠１内で、景色のみならず、（雑音のない）好みの音楽をも楽しむことができて、一層高度な娯楽性のある観覧車となる。また、複数の乗り籠１…、及び、環状枠体２が回転する観覧車に於て、地上から、各々上記乗り籠１に音楽を送ることができる。また、乗客は自分の好みの曲を選んで楽しむことができ、乗り籠１内で数十分の間過ごしても、退屈せず飽きることがない。
【００３０】
（請求項２によれば、）簡単な構成にて、複数の乗り籠１…の、夫々に、有線にて曲（各種の音楽）を送ることができる。このように、乗り籠１内で、景色のみならず、（雑音のない）好みの音楽をも楽しむことができて、一層高度な娯楽性のある観覧車となる。また、環状枠体２が固定され、複数の乗り籠１…が環状枠体２を走行するタイプの観覧車に於て、地上から、各々上記乗り籠１に音楽を送ることができる。また、乗客は自分の好みの曲を選んで楽しむことができ、乗り籠１内で数十分の間過ごしても、退屈せず飽きることがない。
【００３１】
（請求項３によれば、）乗り籠１に同乗している他人に迷惑をかけることなく、自分の好みの曲を楽しむことができる。
【図面の簡単な説明】
【図１】  本発明の実施の一形態を示す正面図である。
【図２】  構成説明図である。
【図３】  要部拡大簡略側面図である。
【図４】  要部拡大断面側面図である。
【図５】  要部拡大正面図である。
【図６】  要部拡大簡略側面図である。
【図７】  要部拡大断面側面図である。
【図８】  要部拡大正面図である。
【図９】  操作盤の正面図である。
【図10】  他の実施の形態を示す正面図である。
【図11】  要部拡大構成説明図である。
【符号の説明】
１  乗り籠
２  環状枠体
２ａ  中心軸
２ｂ  吊持軸
３  支持枠体
４  乗り籠支持枠
７  スリップリング
８  ブラシ
９  トロリー線
10  集電子
Ｂ  曲送信用配線
Ｂ1 曲送信用配線
Ｂ2 曲送信用配線
Ｂ3 曲送信用配線
Ｇ  滑り接触手段
【図１】
0003681694.tif 000002
【図２】
0003681694.tif 000003
【図３】
0003681694.tif 000004
【図４】
0003681694.tif 000005
【図５】
0003681694.tif 000006
【図６】
0003681694.tif 000007
【図７】
0003681694.tif 000008
【図８】
0003681694.tif 000009
【図９】
0003681694.tif 000010
【図１０】
0003681694.tif 000011
【図１１】
0003681694.tif 000012